(57)【要約】      （修正有）【課題】液体酸素の封入後に液体酸素の漏れが発生しない密封安定構造からなるとともに、刺衝により酸素を噴射吐出することを可能とした液体酸素カプセルおよびこれを用いた液体酸素注入装置を提供する。【解決手段】上部に開口部を有する円筒状カプセル本体１１０と、液体酸素１０と、液体酸素を封止するカプセル蓋部１２０と、カプセル蓋部と同径の肉厚の円盤状からなるＯリング１３０と、からなり、カプセル本体は、カプセル蓋部を挿入係止する係止部１１４と、カプセル蓋部を密着固定するためのかしめ部１１６と、からなり、カプセル蓋部は、円盤上面の中央部に形成される裁断口部１２２と、下方に装着される円筒状のＯリング固定筒１２４と、からなり、Ｏリング固定筒にＯリングを挿入設置したカプセル蓋部を、液体酸素が封入されたカプセル本体の開口部から挿入して係止部に係止するとともに、かしめ部をカプセル蓋部側に押圧してかしめる。【選択図】図１
2020033096.tif 000002
【特許請求の範囲】
【請求項１】
飲料水中に注入する酸素を液化封入した液体酸素カプセル(100)が、
上部に開口部(112)を有する円筒状カプセル本体(110)と、封入される液体酸素(10)と、該カプセル本体の開口部に挿入して液体酸素を封止する円盤状のカプセル蓋部(120)と、該カプセル蓋部と前記カプセル本体が当接する位置に設置される前記カプセル蓋部と同径の肉厚の円盤状からなるＯリング(130)と、からなり、
前記カプセル本体(110)は、前記カプセル蓋部(120)を挿入係止する位置を肉厚に形成した係止部(114)と、該係止部の上部に設けられる前記カプセル蓋部を密着固定するためのかしめ部(116)と、からなり、
前記カプセル蓋部(120)は、封入された液体酸素(10)を噴出するための細孔を刺衝穿設するために円盤上面の中央部に形成される肉薄の裁断口部(122)と、下方に装着されるＯリングを挿入固定するための円筒状のＯリング固定筒(124)と、からなり、
前記Ｏリング固定筒(124)に前記Ｏリング(130)を挿入設置した前記カプセル蓋部(120)を、液体酸素(10)が封入された前記カプセル本体(110)の開口部(112)から挿入して前記係止部(114)に係止するとともに、前記かしめ部(116)を前記カプセル蓋部側に押圧してかしめてカプセル蓋部(120)を密着固定して液体酸素(10)を密封形成したことを特徴とする液体酸素カプセル。
【請求項２】
飲料水中に注入する酸素を液化封入した液体酸素カプセル(100)が、
上部に開口部(112)を有する円筒状カプセル本体(110)と、封入される液体酸素(10)と、該カプセル本体の開口部に挿入して液体酸素を封止する円盤状のカプセル蓋部(120)と、該カプセル蓋部の上部に設置される前記カプセル蓋部と同径の肉厚の円盤状からなるＯリング(130)と、からなり、
前記カプセル本体(110)は、前記カプセル蓋部(120)を挿入係止する位置を肉厚に形成した係止部(114)と、該係止部の上部に設けられる前記カプセル蓋部を密着固定するためのかしめ部(116)と、からなり、
前記カプセル蓋部(120)は、封入された液体酸素(10)を噴出するための細孔を刺衝穿設するために円盤上面の中央部に形成される円形からなる肉薄の裁断口部(122)を有しており、
前記カプセル蓋部(120)を、液体酸素(10)が封入された前記カプセル本体(110)の開口部(112)から挿入して前記係止部(114)に係止するとともに、前記カプセル蓋部(120)上部に前記Ｏリング(130)を設置した上で、前記かしめ部(116)を前記カプセル蓋部側に押圧してかしめて、前記Ｏリングを介してカプセル蓋部(120)を密着固定して液体酸素(10)を密封形成したことを特徴とする液体酸素カプセル。
【請求項３】
前記カプセル本体(110)とカプセル蓋部(120)は、アルミニウムからなるとともに、前記Ｏリング(130)は樹脂製素材からなることを特徴とする請求項１または請求項２記載の液体酸素カプセル。
【請求項４】
ペットボトル(20)に封入された飲料水(30)中に酸素を強制注入させるための液体酸素注入装置(300)が、
前記液体酸素カプセル(100)と、前記液体酸素カプセルを内部に格納装着するとともに該液体酸素カプセルに充填された液体酸素を気化させてペットボトル内に噴出導入するペットボトルの開口(22)に螺着または固着する構造の酸素注入手段(200)と、からなり、
前記酸素注入手段(200)は、ペットボトル(20)の開口(22)に螺着または固着して密封固定するための基部(210)と、内部に前記液体酸素カプセル(100)を格納して前記基部(210)に圧着するように螺着して密封固定するための格納蓋部(220)と、からなり、
前記基部(210)は、ペットボトル(20)の開口と前記格納蓋部(220)とを連通させる細管(230)を装備するとともに、該細管(230)は、前記格納蓋部(220)側の先端を鋭利頭刀として前記格納蓋部(220)に格納された前記液体酸素カプセル(100)の裁断口部(122)に当接刺衝して細孔を穿設して液体酸素(10)をペットボトル(20)内に噴出導入して飲料水(30)中に気化した酸素を強制注入させることを特徴とする請求項１または請求項２記載の液体酸素カプセルを用いた液体酸素注入装置。
【請求項５】
前記液体酸素注入装置(300)は、飲料水(30)の封入されたペットボトル(20)の開口(22)に前記基部(210)を螺着または固着して密封固定するとともに、液体酸素カプセル(100)を格納した前記格納蓋部(220)を先端鋭利頭刀の細管(230)が液体酸素カプセル(100)を刺衝しない程度に前記基部(210)に螺着し、ペットボトル(20)の開口(22)を下方向へ向けた状態とした際に、前記格納蓋部(220)を更に前記基部(210)に押し込むように螺着して密封固定することにより、先端鋭頭の細管(230)が液体酸素カプセル(100)を刺衝して裁断口部(122)から細管(230)が侵入し、ペットボトル(20)に封入された飲料水(30)に液体酸素カプセル(100)中の液体酸素(10)を気化するとともに噴射して溶け込ませることを特徴とする請求項４記載の液体酸素注入装置。
【発明の詳細な説明】
【技術分野】
【０００１】
本発明は、飲料用の酸素含有水を作るための液体酸素を封入した液体酸素カプセルと注入装置に関し、特に、カプセルを液体酸素の封入後に常温において内容物の漏れが発生しない密封安定構造を有するとともに、刺衝貫挿により酸素を噴射吐出させることを可能とした、液体酸素を内部に容易に封入した液体酸素カプセルおよびこれを用いた液体酸素注入装置に関する。
【背景技術】
【０００２】
従来より、アスリートの疲労回復やパフォーマンスの向上のための飲料として、酸素水が用いられている。酸素水とは、水中に酸素を溶け込ませた水であり、空気中に自然に存在する水より多く酸素が含まれる飲料水である。酸素は、水に溶けにくい気体であり、飲料水中に含有させるためには、勢いよく水中に噴射するなど技術的な加工処理が必要とされる。また、生成された酸素水は、放置すると酸素が放出されて元の自然水に戻ってしまうので、必要に応じて簡易に生成できる装置（器具）が求められていた。
【０００３】
このような酸素水に関連する技術として、特開２０１０−１３７１８１号公報が存在する。ここでは、ペットボトル内の飲料水を酸素水に変換するための酸素水生成装置として、ペットボトル内に酸素噴射部材が下端に取付けられた酸素噴射用チューブを挿入し、圧力制御弁でペットボトル内の圧力を調整しながら、外部に設置した酸素発生器から酸素供給ホースを通じて酸素噴射用チューブに酸素を供給することにより、ペットボトル内の飲料水に酸素を注入して酸素水を生成する技術が開示されている。
【０００４】
確かにこの技術によれば、ペットボトル内の水に酸素を溶け込ませることが可能になると考えられるが、酸素を供給するための装置が大きなものとならざるを得ず、簡便または持ち運び可能な酸素水を生成するための酸素カプセルや器具を提供することが困難という問題点があった。
【０００５】
また、特開２０１３−１５８７２４号公報では、高濃度の酸素水を生成可能な酸素水生成装置に関する技術が開示されている。ここでは、気密容器中の水に過酸化水素水を混入する過酸化水素水混入装置と、気密容器中の水に分解剤を混入する分解剤混入装置と、過酸化水素水と分解剤が混入した水を貯留する気密容器内の圧力を上昇させる加圧装置と、排水装置により気密容器から排水される酸素水を分配する分配装置とからなる装置であって、過酸化水素が水と酸素に分解することを利用して気密容器中で酸素を発生させ、発生する酸素を、気密容器中の水に溶存させる技術が開示されている。
【０００６】
確かにこの技術によれば、容器中の水に酸素を溶かし込むことが可能となると考えられるが、この技術によってもやはり装置の巨大化という問題点は解消できず、気軽に飲料水としての酸素水を生成して飲用に供することが難しいという問題点があった。
【０００７】
そこで、酸素をカプセルのような小さい容器に格納して可搬性を増すとともに、容易かつ確実に酸素水を生成することが可能な液体酸素カプセル、およびこれを用いた携帯可能な小型の液体酸素注入装置の開発が望まれていた。
【先行技術文献】
【特許文献】
【０００８】
【特許文献１】特開２０１０−１３７１８１号公報
【特許文献２】特開２０１３−１５８７２４号公報
【発明の開示】
【発明が解決しようとする課題】
【０００９】
本発明は、上記問題を解決するために、飲料用の酸素含有水を作るための液体酸素を封入した液体酸素カプセルであって、特に、液体酸素の封入後に常温であっても液体酸素の漏れが発生しない密封安定構造からなるとともに、刺衝貫挿することによりカプセル外へ酸素を噴射吐出することを可能とした、液体酸素を内部に容易に封入した液体酸素カプセルおよびこれを用いた液体酸素注入装置を提供する。
【課題を解決するための手段】
【００１０】
上記の目的を達成するために本発明に係る液体酸素カプセルは、飲料水中に注入する酸素を液化封入した液体酸素カプセルが、上部に開口部を有する円筒状カプセル本体と、封入される液体酸素と、該カプセル本体の開口部に挿入して液体酸素を封止する円盤状のカプセル蓋部と、該カプセル蓋部と前記カプセル本体が当接する位置に設置される前記カプセル蓋部と同径の肉厚の円盤状からなるＯリングと、からなり、前記カプセル本体は、前記カプセル蓋部を挿入係止する位置を肉厚に形成した係止部と、該係止部の上部に設けられる前記カプセル蓋部を密着固定するためのかしめ部と、からなり、前記カプセル蓋部は、封入された液体酸素を噴出するための細孔を刺衝穿設するために円盤上面の中央部に形成される肉薄の裁断口部と、下方に装着されるＯリングを挿入固定するための円筒状のＯリング固定筒と、からなり、前記Ｏリング固定筒に前記Ｏリングを挿入設置した前記カプセル蓋部を、液体酸素が封入された前記カプセル本体の開口部から挿入して前記係止部に係止するとともに、前記かしめ部を前記カプセル蓋部側に押圧してかしめてカプセル蓋部を密着固定して液体酸素を密封形成した構成である。
【００１１】
また、本発明に係る液体酸素カプセルは、飲料水中に注入する酸素を液化封入した液体酸素カプセルが、上部に開口部を有する円筒状カプセル本体と、封入される液体酸素と、該カプセル本体の開口部に挿入して液体酸素を封止する円盤状のカプセル蓋部と、該カプセル蓋部の上部に設置される前記カプセル蓋部と同径の肉厚の円盤状からなるＯリングと、からなり、前記カプセル本体は、前記カプセル蓋部を挿入係止する位置を肉厚に形成した係止部と、該係止部の上部に設けられる前記カプセル蓋部を密着固定するためのかしめ部と、からなり、前記カプセル蓋部は、封入された液体酸素を噴出するための細孔を刺衝穿設するために円盤上面の中央部に形成される円形からなる肉薄の裁断口部を有しており、前記カプセル蓋部を、液体酸素が封入された前記カプセル本体の開口部から挿入して前記係止部に係止するとともに、前記カプセル蓋部上部に前記Ｏリングを設置した上で、前記かしめ部を前記カプセル蓋部側に押圧してかしめて、前記Ｏリングを介してカプセル蓋部を密着固定して液体酸素を密封形成した構成でもある。
また、前記カプセル本体とカプセル蓋部は、アルミニウムからなるとともに、前記Ｏリングは樹脂製素材からなる構成である。
【００１２】
また、本発明に係る液体酸素注入装置は、ペットボトルに封入された飲料水中に酸素を強制注入させるための液体酸素注入装置が、前記液体酸素カプセルと、前記液体酸素カプセルを内部に格納装着するとともに該液体酸素カプセルに充填された液体酸素を気化させてペットボトル内に噴出導入するペットボトルの開口に螺着または固着する構造の酸素注入手段と、からなり、前記酸素注入手段は、ペットボトルの開口に螺着または固着して密封固定するための基部と、内部に前記液体酸素カプセルを格納して前記基部に圧着するように螺着して密封固定するための格納蓋部と、からなり、前記基部は、ペットボトルの開口と前記格納蓋部とを連通させる細管を装備するとともに、該細管は、前記格納蓋部側の先端を鋭利頭刀として前記格納蓋部に格納された前記液体酸素カプセルの裁断口部に当接刺衝して細孔を穿設して液体酸素をペットボトル内に噴出導入して飲料水中に気化した酸素を強制注入させる構成である。
【００１３】
更に、前記液体酸素注入装置は、飲料水の封入されたペットボトルの開口に前記基部を螺着または固着して密封固定するとともに、液体酸素カプセルを格納した前記格納蓋部を先端鋭利頭刀の細管が液体酸素カプセルを刺衝しない程度に前記基部に螺着し、ペットボトルの開口を下方向へ向けた状態とした際に、前記格納蓋部を更に前記基部に押し込むように螺着して密封固定することにより、先端鋭頭の細管が液体酸素カプセルを刺衝して裁断口部から細管が侵入し、ペットボトルに封入された飲料水に液体酸素カプセル中の液体酸素を気化するとともに噴射して溶け込ませる構成である。
【発明の効果】
【００１４】
本発明は、上記詳述した通りの構成であるので、以下のような効果がある。
１．肉厚のＯリングをカプセル蓋部とカプセル本体の間に挿入する構成としたため、カプセル内に封入した液体酸素が気化して外部へ漏れ出すことを防止することが可能となる。また、カプセル本体にかしめ部を設けたため、液体酸素の封入後に確実に蓋をすることが可能となり、内容物である液体酸素の漏れを防止することが可能となる。また、カプセル蓋部に裁断口部を設けたため、刺衝貫挿することによりカプセルの使用時に容易に内容物の液体酸素を外部へ噴射吐出することができる。
２．肉厚のＯリングをカプセル蓋部上部に挿入してかしめる構成としたため、カプセル内に封入した液体酸素の外部への漏出を効果的に防止することが可能となる。
【００１５】
３．カプセル本体とカプセル蓋部をアルミニウムとしたため、軽量で丈夫なカプセルを構成することが可能となる。また、Ｏリングを樹脂製素材としたため、確実に内容物の漏出を防止することが可能となる。
４．格納蓋部に液体酸素カプセルを格納する構成としたため、格納蓋部を締めることで密封状態を形成することが可能となり、液体酸素カプセル内の酸素を無駄なくペットボトル内に噴射することが可能となる。また、基部に先端が鋭利頭刀な細管を設けたため、格納蓋部を締めることで液体酸素カプセルに容易に細孔をあけることが可能となり、該細孔から噴出する酸素を細管を通してペットボトル内に噴射させることが可能となる。
【００１６】
５．ペットボトルの開口を下方向へ向けた状態で格納蓋部を締める構成としたため、液体酸素カプセルから噴射される酸素を容易にペットボトル内の飲料水に溶け込ませることが可能となる。
【発明を実施するための最良の形態】
【００１７】
以下、本発明に係る液体酸素カプセルおよびこれを用いた液体酸素注入装置を、図面に示す実施例に基づいて詳細に説明する。図１は、液体酸素カプセルの分解側面断面図であり、図２は、液体酸素注入装置の側面断面図である。図３は、液体酸素注入装置の使用例を示す図である。
【００１８】
本発明に係る液体酸素カプセル１００は、図１に示すように、カプセル本体１１０と、カプセル蓋部１２０と、Ｏリング１３０と、からなり、カプセル本体１１０内に内容物である低温で液化された液体酸素１０を封入するとともに、Ｏリング１３０を介してカプセル蓋部１２０で閉じ、内容物が漏出しないように確実に密封することを可能とした、飲料水中に注入する酸素を封入するカプセルである。
【００１９】
カプセル本体１１０は、液体酸素１０を内部に封入するための液体酸素カプセル１００の本体である。カプセル本体１１０は、図１に示すように、上部に開口部１１２を有する円筒状からなる。本実施例では、カプセル本体１１０は、均等な直径の円柱筒状の部材からなるが、これに限定されることはなく、球形・角柱形など、適宜選択して構成することが可能である。
【００２０】
カプセル本体１１０に封入される液体酸素１０は、液化した酸素である。液体酸素は、沸点が−１８３℃であり、気化するとその体積が約８００倍になる。本実施例では、液体酸素カプセル１００を完全密封して気化しないように封入する構成であるが、外圧によりカプセルが損傷すると危険であるため、気化した酸素が徐々に抜け出す構成とすることも可能である。
【００２１】
カプセル蓋部１２０は、カプセル本体１１０を封止する蓋となる円盤状の部材であり、図１に示すように、カプセル本体１１０の開口部１１２に挿入してカプセル本体１１０内の液体酸素１０を封止するための部材である。カプセル蓋部１２０は、確実にカプセル本体１１０の開口部１１２を封止するため、断面円形の開口部１１２と同径の円形状に構成される。
【００２２】
Ｏリング１３０は、液体酸素カプセル１００の気密性を高めてカプセル本体１１０内の液体酸素１０の漏れを防止するためのシール材である。本実施例では、Ｏリング１３０はカプセル蓋部１１２と同径の肉厚の円盤状からなり、カプセル蓋部１２０とカプセル本体１１０が当接する位置、すなわちカプセル本体１１０とカプセル蓋部１２０との間に設置される構成である。Ｏリング１３０を設置することにより、カプセル本体１１０とカプセル蓋部１２０との気密性が高まり、液体酸素１０の漏出を防止することが可能となる。
【００２３】
カプセル本体１１０は、更に、図１に示すように、係止部１１４と、かしめ部１１６とからなる。係止部１１４は、カプセル蓋部１２０をカプセル本体１１０に挿入後、一定位置で係止するため、該係止位置を肉厚に形成してストッパーとしたものである。これにより、カプセル本体１１０内の一定の位置でカプセル蓋部１２０を係止固定することが可能となる。本実施例では、図１に示すように、カプセル本体１１０の係止部１１４より下部をすべて肉厚としている。これにより、係止部１１４の形成が容易になるとともに、カプセル本体１１０の周囲壁の強度を高めることが可能となる。
【００２４】
かしめ部１１６は、カプセル本体１１０にカプセル蓋部１２０を密着固定するためのものであり、図１に示すように、係止部１１４の上部に設けられる。かしめ部１１６は、カプセル本体１１０の上部部分であって円筒形状からなり、このかしめ部１１６を開口部１１２の内側に向けて周縁からかしめることにより、カプセル蓋部１２０が密着固定される構成である。この構成とすることにより、液体酸素カプセル１００の気密性を容易に確保することが可能となる。
【００２５】
カプセル蓋部１２０は、裁断口部１２２と、Ｏリング固定筒１２４とを装備している。裁断口部１２２は、液体酸素カプセル１００内に封入された液体酸素１０を噴出するための細孔を外部から刺衝して穿設するために設けられるものであり、図１に示すように、カプセル蓋部１２０の円盤上面の中央部に形成される肉薄の部材からなる。本実施例では、カプセル蓋部１２０の円盤上面中央部に円形の肉薄部材により裁断口部１２２を形成している。
【００２６】
Ｏリング固定筒１２４は、カプセル本体１１０とカプセル蓋部１２０との間に設置されるＯリング１３０を固定するための部材であり、図１に示すように、カプセル蓋部１２０の下方に装着されるＯリング１３０を挿入固定する円筒状の部材である。Ｏリング１３０は円盤状からなるとともに、中心に円形の孔が穿設されている。Ｏリング固定筒１２４を該孔に挿入することにより、Ｏリング１３０がカプセル蓋部１２０の下方に固定される構成である。
【００２７】
本発明に係る液体酸素カプセル１００は、まず、超低温下でカプセル本体１１０に液体酸素１０を注入する。次に、カプセル蓋部１２０のＯリング固定筒１２４にＯリング１３０を挿入して設置した後、カプセル蓋部１２０を、液体酸素１０が封入されたカプセル本体１１０の開口部１１２から挿入する。カプセル蓋部１２０は、前述のように係止部１１４で係止される。
【００２８】
カプセル本体１１０内でカプセル蓋部１２０がＯリング１３０を間に挟んだ状態で安定したら、カプセル本体１１０のかしめ部１１６を、周縁からカプセル蓋部１２０側にカプセル蓋部１２０の中央部を目掛けて押圧してかしめる。これにより、カプセル蓋部１２０を密着固定して液体酸素１０を密封形成した液体酸素カプセル１００を構成する。
【００２９】
カプセル本体１１０とカプセル蓋部１２０は、本実施例では、アルミニウム素材からなる構成である。また、Ｏリング１３０は、樹脂製素材からなる構成である。この構成とすることにより、軽量で丈夫なカプセルを構成することが可能となり、また、確実に内容物の漏出を防止することが可能となる。本実施例では、Ｏリング１３０は、シリコンからなる構成であるがこれに限定されることはなく、適宜選択して使用することが可能である。
【００３０】
本発明に係る液体酸素カプセル１００の別の実施例として、カプセル本体の開口部に挿入して液体酸素を封止する円盤状のカプセル蓋部の上部に円盤状からなるＯリング１３０を設置する構成とすることが可能である。すなわち、カプセル蓋部１２０を、液体酸素１０が封入されたカプセル本体１１０の開口部１１２から挿入して係止部１１４に係止し、カプセル蓋部１２０上部に円形からなる肉薄の裁断口部１２２が露出するようにＯリング１３０を設置する。その後、かしめ部１１６をカプセル蓋部１２０側に押圧してかしめる。これにより、カプセル本体１１０にＯリングを介してカプセル蓋部１２０を密着固定することが可能となる。
【００３１】
次に、液体酸素カプセル１００による酸素注入を行う液体酸素注入装置３００について説明する。液体酸素注入装置３００は、ペットボトル２０に封入された飲料水３０の中に酸素を強制注入して溶け込ませるための装置であり、図２に示すように、前述の液体酸素カプセル１００と、刺衝貫挿する酸素注入手段２００と、からなる。
【００３２】
酸素注入手段２００は、液体酸素カプセル１００内に封入された液体酸素１０を気化した状態でペットボトル内に注入するための手段である。酸素注入手段２００は、液体酸素カプセル１００を内部に格納装着する構成であり、ペットボトルの開口２２に螺着または固着可能な構造となっており、液体酸素カプセル１００に充填された液体酸素１０を刺衝貫挿により噴出気化させて酸素注入手段２００が螺着または固着されたペットボトル内に導入する構成である。
【００３３】
酸素注入手段２００は、図２に示すように、基部２１０と、格納蓋部２２０とからなる。基部２１０は、酸素注入手段２００をペットボトル２０に接続固定するための部材であり、ペットボトル２０の開口２２に螺着または固着することにより、密封固定する。基部２１０は、本実施例では、ペットボトル接続開口２１２を有しており、該部分がペットボトル２０の開口２２と同径に構成されるとともに、螺着可能なネジ山が螺刻された構成となっているが、これに限定されることはなく、ペットボトル２０の開口２２に基部２１０を固着する構造とすることも可能である。
【００３４】
格納蓋部２２０は、内部に液体酸素カプセル１００を格納して基部２１０と接合密封するための部材である。本実施例では、格納蓋部２２０は、ネジ山が螺刻された基部接続開口２２２が設けられており、基部２１０のペットボトル接続開口２１２の反対側に設けられる螺着可能なネジ山が螺刻された格納蓋部接続開口２１４に、基部接続開口２２２が圧着するように螺着して密封固定する構成である。
【００３５】
なお、格納蓋部２２０と基部２１０とは、着脱自在に接続した構成とすることが可能である。これにより、液体酸素カプセル１００が交換可能となり、液体酸素注入装置３００を継続的に何回も使用することが可能となる。また、液体酸素カプセル１００を内部に格納した状態で格納蓋部２２０と基部２１０とを外すことができない構成とすることも可能である。これにより、液体酸素注入装置３００を使い切りの構成とすることが可能となり、ペットボトル２０に予め液体酸素注入装置３００を装着した状態で提供することが可能となる。
【００３６】
基部２１０は、図２に示すように、ペットボトル２０の開口２２と格納蓋部２２０とを連通させるための細管２３０を装備した構成である。この細管２３０により、基部２１０と格納蓋部２２０が螺合固定された状態の酸素注入手段２００が、ペットボトル２０の開口２２に螺合固定された際に、ペットボトル２０の内部空間と格納蓋部２２０の内部空間とが連通し、これを通して内容物（気化した液体酸素）の移動が可能となる。
【００３７】
細管２３０は、図２に示すように、格納蓋部２２０側の先端が鋭利頭刀な形状となっている。この構成とすることにより、基部２１０に液体酸素カプセル１００を格納した格納蓋部２２０を圧着するように螺着すると、格納蓋部２２０に格納された液体酸素カプセル１００の裁断口部１２２に対して、格納蓋部２２０側の先端が当接することにより、裁断口部１２２が刺衝（破断）されて細孔が貫挿・穿設されることとなる。
【００３８】
この構成により、裁断口部１２２の細孔から噴出する気化した液体酸素１０を外部に漏らすことなく細管２３０を通してペットボトル２０内に噴出導入することが可能となり、飲料水３０中に気化した酸素を勢いよく強制注入させることで、容易に酸素水を生成することが可能となる。
【００３９】
格納蓋部２２０は、上部または側面に通気細孔（図示せず）を穿設した構成とすることが可能である。この構成とすることにより、通気細孔から少量の酸素を抜け出させることが可能となるため、ペットボトル２０内の飲料水３０に酸素を導入する際に、酸素の過供給等が生じた際に起こりうるペットボトル２０の破裂を防止することが可能となる。
【００４０】
次に、液体酸素注入装置３００の使用方法について説明する。液体酸素注入装置３００は、最初に基部２１０と格納蓋部２２０を外した状態とし、飲料水３０の封入されたペットボトル２０の開口２２に、基部２１０を螺着して密封固定する。次に、液体酸素カプセル１００を格納蓋部２２０に格納した上で、格納蓋部２２０を、基部２１０に設けられる先端鋭利頭刀の細管２３０が液体酸素カプセル１００を刺衝しない程度に基部２１０に螺合させる。なお、液体酸素カプセル１００を格納した格納蓋部２２０と基部２１０とが接続した状態（液体酸素カプセル１００は未だ刺衝されていない状態）のものを、予めペットボトル２０に螺着または固着した構造の飲料水として構成・流通させることとしてもよい。
【００４１】
次に、ペットボトル２０をひっくり返して開口２２を下方向へ向けた状態とした上で、格納蓋部２２０を更に基部２１０に押し込むように螺着し、密封固定する。これにより、先端鋭頭の細管２３０が液体酸素カプセル１００を刺衝して、貫挿され、裁断口部１２２から細管２３０が侵入し、裁断口部１２２に孔を開ける。これにより、液体酸素カプセル１００内の液体酸素１０が噴出するとともに気化して、細管２３０を通してペットボトル２０内に勢いよく噴射することとなる。
【００４２】
ペットボトル２０は開口２２を下にして逆さになっているため、内部の飲用水３０は、開口２２側に移動している。従って、飲用水３０の下から気化した酸素が上に向けて泡となって勢いよく通過する。この時、酸素が飲料水３０内に溶け込むこととなる。
【００４３】
以上の構成により、ペットボトル２０に封入された飲料水３０に対して、液体酸素カプセル１００中の液体酸素１０を気化するとともに噴射して溶け込ませることが可能となり、液体酸素カプセル１００から噴射される酸素を漏れなくペットボトル２０内の飲料水３０に溶け込ませることが可能となる。
【図面の簡単な説明】
【００４４】
【図１】液体酸素カプセルの分解側面断面図
【図２】液体酸素注入装置の側面断面図
【図３】液体酸素注入装置の使用例を示す図
【符号の説明】
【００４５】
１０    液体酸素
２０    ペットボトル
２２    開口
３０    飲料水
１００    液体酸素カプセル
１１０    カプセル本体
１１２    開口部
１１４    係止部
１１６    かしめ部
１２０    カプセル蓋部
１２２    裁断口部
１２４    Ｏリング固定筒
１３０    Ｏリング
２００    酸素注入手段
２１０    基部
２１２    ペットボトル接続開口
２１４    格納蓋部接続開口
２２０    格納蓋部
２２２    基部接続開口
２３０    細管
３００    液体酸素注入装置
【図１】
2020033096.tif 000003
【図２】
2020033096.tif 000004
【図３】
2020033096.tif 000005